(57)【要約】【課題】発光により観者を誘導する効果を備える発光誘導標示装置を提供する。【解決手段】誘導標示を形成させた標示面を備える標示体と、前記標示面を照明する発光装置とを備え、前記標示面を上方へ向けて前記標示体を設け、前記発光装置に、前記標示面を照明する光を側方へ発する第一の発光部と、この第一の発光部と逆側の側方へ光を発する第二の発光部とを備えさせる。前記第一の発光部により前記標示面が効率的に照明されて、形成させた前記標示の視認性が向上すると共に、第二の発光部から発する光を視認させることで、観者を誘導させる効果が期待出来る。【選択図】        図１
2014031663.tif 000002
【特許請求の範囲】
【請求項１】
誘導標示が形成された標示面を備える標示体と、前記標示面を照明する発光装置とを備えた発光誘導標示装置であって、
前記標示体は前記標示面を上方へ向けて設けられており、
前記発光装置は、前記標示面を照明する光を側方へ発する第一の発光部と、該第一の発光部と逆側の側方へ光を発する第二の発光部とを備えていることを特徴とする発光誘導標示装置。
【請求項２】
前記標示体は、誘導する目的地名、又は誘導する目的地までの距離、又は目的地へ導く誘導方向を示す矢印等の図形、の少なくとも一つを含む誘導標示が前記標示面に設けられると共に、
前記標示体は、前記発光装置に対し、前記標示面の誘導標示の示す誘導方向の先側に配置されて設けられていることを特徴とする請求項１に記載の発光誘導標示装置。
【発明の詳細な説明】
【技術分野】
【０００１】
本発明は、誘導経路に設置され、観者を目的地へ誘導する標示を行う発光誘導標示装置に関するものである。
【背景技術】
【０００２】
地震や火災などの災害や、停電などの発生により、徒歩で帰宅する人や、避難場所へ避難する人等を、目的地へ誘導するための標示を行う発光誘導標示装置については、種々の発明が開示されている。
【０００３】
例えば、特許文献１には、被誘導者を誘導すべく目的の場所に至るルート毎に設けられる方向指示標識であって、路面に施された誘導ラインの途中で路面に取付けられ、表面に目的の場所に至るルート毎に定められた色を有する着色部が施されて平板状に形成された指示標識本体を有していることを特徴とする方向指示標識が本出願人によって開示されており、ここには、太陽電池パネルと、該太陽電池パネルからのエネルギーで発光して着色部を照らす発光ダイオードとを有する発光部が指示標識本体の上面に固定されている構成が記載されている。
【先行技術文献】
【特許文献】
【０００４】
【特許文献１】特開２００８−２０３９８３号公報
【発明の概要】
【発明が解決しようとする課題】
【０００５】
特許文献１に示される方向指示標識は、発光部の発光ダイオードの光で着色部を照らし、指示標識本体の夜間の視認性を高めているが、本発明は、更に発光により観者を誘導する効果を備えるように設けたものである。
【課題を解決するための手段】
【０００６】
上記目的を達成するため、本発明は以下のような構成としている。
すなわち本発明に係る発光誘導標示装置は、誘導標示が形成された標示面を備える標示体と、前記標示面を照明する発光装置とを備えた発光誘導標示装置であって、
前記標示体は前記標示面を上方へ向けて設けられており、
前記発光装置は、前記標示面を照明する光を側方へ発する第一の発光部と、該第一の発光部と逆側の側方へ光を発する第二の発光部とを備えていることを特徴とするものである。
【０００７】
本発明に係る発光誘導標示装置によれば、誘導標示を形成させた標示面を備える標示体と、前記標示面を照明する発光装置とを備え、前記標示面を上方へ向けて設け、前記発光装置が前記標示面を照明する光を側方へ発する第一の発光部を備えるので、前記第一の発光部により前記標示面が効率的に照明されて、形成させた前記標示の視認性が向上する。
また、この第一の発光部と逆側の側方へ光を発する第二の発光部とを備えるので、この第二の発光部から発する光を視認させることで、観者を誘導させる効果が期待出来る。
【０００８】
また、誘導する目的地名、又は誘導する目的地までの距離、又は目的地へ導く誘導方向を示す矢印等の図形、の少なくとも一つを含む誘導標示を前記標示面に設け、前記標示体を、前記発光装置に対し、前記標示面の誘導標示の示す誘導方向の先側に配置させて設ければ、前記第二の発光部からの光が前記誘導方向の逆方向へ向けて発せられるので、前記誘導方向へ視線を向けた観者から前記第二の発光部からの光が良好に視認されるようになされて、目的地の方向への誘導効果が高められる。
【発明の効果】
【０００９】
本発明に係る発光誘導標示装置によれば、発光装置からの光によって誘導標示が形成された標示面の視認性が高められると共に、発光による観者の誘導効果を期待出来る。
【図面の簡単な説明】
【００１０】
【図１】本発明に係る発光誘導装置の実施の一形態を示す斜視図である。
【図２】図１の標示体を示す平面図である。
【図３】図１の発光装置を示す、（イ）は平面図であり、（ロ）は正面図である。
【図４】図３の側面図である。
【図５】図３の背面図である。
【図６】図３のＡ−Ａ断面図である。
【図７】図３のＢ−Ｂ断面図である。
【発明を実施するための形態】
【００１１】
本発明の実施の形態を図面に基づき具体的に説明する。
図面において、１は発光誘導標示装置である。
本実施形態の発光誘導標示装置１は、四隅が角丸の矩形の平板状に形成された標示体２と、この標示体２と別体に形成された略四角錘台形状の発光装置３とを備えている。
前記標示体２と発光装置３とは、それぞれの下面を路面や縁石の上面などに当接させて設置されている。
【００１２】
図２は図１の標示体２を示す平面図である。
標示体２は上面が標示面となされ、本実施形態では黄色の蛍光色と、黒色の２色で着色されており、これら２色で観者を誘導するための誘導標示２１が文字、図形、記号、又はこれらの結合等によって形成されている。
【００１３】
本実施形態の誘導標示２１は、情報の種類を表す標示２１ａと、現在地を表す標示２１ｂと、目的地名を表す標示２１ｃと、目的地へと導く誘導方向を示す標示２１ｄとを含んでおり、具体的には、本実施形態の誘導標示２１において、前記標示２１ａは「徒歩帰宅者支援ルート」と表され、前記標示２１ｂは「国道■号線」と表され、前記標示２１ｃは「●市内→▲市」と表され、前記標示２１ｄは方向を示す矢印の図形が表されている。
詳細には、本実施形態の誘導標示２１は、標示体２の上面において前記標示２１ｄの表す誘導方向の先側から、標示２１ａ、標示２１ｂ、標示２１ｃ、標示２１ｄの順番で表されている。
【００１４】
また、本実施形態の誘導標示２１には含まれていないが、現在地から標示２１ｃに表す目的地までの距離を誘導標示２１に表して形成させても良い。
【００１５】
図３は図１の発光装置３を示す、（イ）は平面図であり、（ロ）は正面図であり、図４は図３の側面図であり、図５は図３の背面図である。
本実施形態の発光装置３は、上方及び下方に開口する箱状に形成された本体３１と、この本体３１の前記下方の開口を塞ぐように下方に取り付けられた底板６とを備える、略矩形の中空箱形状に設けられている。
前記本体３１は、平坦な矩形の上面３２と、この上面３２から延設される前面３３、後面３４と、左右両側の側面３５を備え、前記前面３３及び後面３４は下方に至るほど外側へ突出する傾斜面にそれぞれ形成されている。
本実施形態の本体３１はアルミニウム鋳物で形成され、底板６はステンレス板で形成されている。
【００１６】
箱状の本体３１の内側には、太陽電池５５と、この太陽電池５５が生起する電力を蓄える蓄電池５４と、この蓄電池から供給される電力によって前方へ向けて発光する前部発光体５１と、後方へ向けて発光する後部発光体５２がそれぞれ内装されている。
前記太陽電池５５は受光面を上方へ向けて取り付けられており、本体３１の上面３２には前記太陽電池５５に入射する太陽光の通路３２ａが矩形形状に穿設されている。
【００１７】
本実施形態の前部発光体５１は、その発する光の光軸を前方へ向けて２個取り付けられており、本体３１の前面３３には、前記前部発光体５１の発する光を通過させて外部へ放射させる矩形形状の前方発光孔が１個穿設されている。そして前記前方発光孔が後述する透光ケース４に塞がれて第二の発光部３３ａが形成されている。
【００１８】
本実施形態の後部発光体５２は、その発する光の光軸を後方へ向けて２個取り付けられており、本体３１の後面３４には、前記後部発光体５２の発する光を通過させて外部へ放射させる矩形形状の後方発光孔が１個穿設されている。そして前記後方発光孔が後述する透光ケース２に塞がれて第一の発光部３４ａが形成されている。
【００１９】
図６は図３のＡ−Ａ断面図であり、図７は図３のＢ−Ｂ断面図である。
前記本体３１の内側には、透光ケース４が１個内装されている。具体的には、透光ケース４は下方に開口する箱形状に形成されており、図７に示すように、透光ケース４の上面を構成する天板４２が前記本体３１に穿設された通路３２ａを塞ぐように取り付けられている。
また、図６に示すように、透光ケース４の前面を構成する傾斜面状の傾斜壁４３が、前記本体３１に穿設された前記前方発光孔を塞ぎ第二の発光部３３ａを形成するように取り付けられており、透光ケース４の後面を構成する傾斜面状の傾斜壁４４が、前記本体３１に穿設された前記後方発光孔を塞ぎ第一の発光部３４ａを形成するように取り付けられている。
【００２０】
また、前記透光ケース４は、その下方の開口が底板６に塞がれるように取り付けられて中空箱形状となされており、前記前部発光体５１、後部発光体５２や、蓄電池５４、太陽電池５５は、この透光ケース４の中空部分に内装されている。
前記底板６に開口を塞がれた透光ケース４の中空部分は、外気から隔てられた水密状に設けられており、発光誘導標示装置１を屋外に設置したときに、前部発光体５１、後部発光体５２や、蓄電池５４、太陽電池５５などが雨水や外部からのごみなどによって劣化や損傷などしないようになされている。
【００２１】
前記太陽電池５５、蓄電池５４、及び前部発光体５１、後部発光体５２は、それぞれ基板５３を介して電気的に接続されており、太陽電池５５が日中に太陽光を受けて生起させた電力が蓄電池５４に蓄えられ、夜間にこの蓄電池５４の電力が前部発光体５１、後部発光体５２へそれぞれ供給されて発光させるようになされている。
【００２２】
本実施形態の各前部発光体５１は、砲弾型の発光ダイオードであり、その光軸を前方へ向けて基板５３に取り付けられている。各前部発光体５１から発せられる光Ｌ１は、透光ケース２の前方側の傾斜壁４３を透過し、第二の発光部３３ａから前方へ放射されるようになされている。ここでの前方とは、図１に示すように、標示体２が設置された方と逆側であり、第二の発光部３３ａからの光Ｌ１は標示体２に形成された誘導標示２１の表す誘導方向と逆方向へ向けて放射されるように設けられている。
また、本実施形態の各後部発光体５２は、砲弾型の発光ダイオードであり、その光軸を後方へ向けて基板５３に取り付けられている。各後部発光体５２から発せられる光Ｌ２は、透光ケース４の後方側の傾斜壁４４を透過し、第一の発光部３４ａから後方へ放射されるようになされている。ここでの後方とは、図１に示すように、標示体２が設置された側であり、第一の発光部３４ａからの光Ｌ２は標示体２に形成された誘導標示２１の表す誘導方向へ向けて放射されるように設けられている。
【００２３】
本実施形態の発光誘導標示装置１は、図１に示すように、標示体２を発光装置３の後方側に配置させ、発光装置３の第一の発光部３４ａからの光Ｌ２が、標示体２の誘導標示２１へ照射されるように設けており、夜間でも誘導標示２１の内容が良好に視認出来るようになされている。
また、発光誘導標示装置１の後方側にいる観者からは、前記第一の発光部３４ａからの光Ｌ２が直接的に視認できるので、発光誘導標示装置１の存在を認識させて傍へ近寄るように誘導する効果が期待でき、誘導標示２１の内容を目視させる可能性を高めている。
【００２４】
また、前記第二の発光部３３ａからの光Ｌ１が、前記第一の発光部３４ａとは逆方向の前方へ放射されるので、光Ｌ２が視認し難い発光誘導標示装置１の前方側にいる観者からも光Ｌ１が良好に視認できるようになされ、発光誘導標示装置１の存在を認識させて傍へ近寄るように誘導する効果が期待でき、誘導標示２１の内容を目視させる可能性を高めている。
【００２５】
本実施形態の発光誘導標示装置１は、標示体２の誘導標示２１において、発光装置３に最も近い位置に、目的地へと導く誘導方向を示す標示２１ｄを表している。
このように設けることで、標示２１ｄが第一の発光部３４ａに最も近く、より明るく照明されるようになされるので、誘導標示２１を視認する観者が進むべき方向を間違えるような問題の発生が抑制される。
【００２６】
本実施形態の発光誘導標示装置１は、第一の発光部３４ａから光Ｌ２を発する後部発光体５２を、白色の発光ダイオードで形成させている。
本実施形態の誘導標示２１を形成する蛍光色は、４００〜５００ｎｍの波長領域の光の照射によって効果的に励起されて強い蛍光が得られるように設けられており、これを照明する光Ｌ２を発する後部発光体５２は、光の波長のピークがこの４００〜５００ｎｍの波長領域に含まれるものが好ましい。
具体的には、発する光の波長のピークが４５０〜４９０ｎｍ付近に含まれる青色の発光ダイオードや、発する光の波長のピークが４５０ｎｍ付近と５５０〜６００ｎｍ付近の２つにそれぞれ含まれる白色の発光ダイオードを後部発光体５２に用いるのが好ましく、本実施形態の後部発光体５２は白色の発光ダイオードを用いている。
【００２７】
本実施形態の誘導標示２１は蛍光色の黄色と、黒色の２色で形成されており、具体的には、標示２１ａ及び標示２１ｃは矩形に形成された黒色の下地に蛍光色の文字が表されており、標示２１ｂは蛍光色の下地に黒色の文字が表されており、標示２１ｄは蛍光色の下地に黒色の矢印形状が表されている。
そして誘導標示２１の蛍光色を効果的に励起させる波長の光を発する後部発光体５２の光で誘導標示２１を照明することで、各標示２１ａ〜２１ｄの蛍光色の部分が強い蛍光を発してその視認性が高められると共に、強い蛍光を発する蛍光色の黄色の部分と、黒色とのコントラストがより際立ち、誘導標示２１の内容を認識しやすくなされる。
【００２８】
図６に示すように、本実施形態の発光誘導装置１の発光装置３は、第一の発光部３４ａから光Ｌ２を放射させる後部発光体５２は、その光軸を発光装置３の下面に沿う方向へ向けている。本実施形態の発光装置３と標示体２は、それぞれの下面を路面や、縁石の上面などの設置面へ当接させて設置されるようになされており、後部発光体５２の光軸が、誘導標示２１の形成された標示体２の上面に沿うように設けられているが、このような構成に限るものではない。例えば、誘導標示２１へより直接的に光Ｌ２が照射されるように、後部発光体５２の光軸を標示体２の誘導標示２１へ向けられるように若干下方へ向けて設けてもよく、また、誘導標示２１が形成された標示体２の標示面が第一の発光部３４ａからの光を受けやすいように標示体２を設置面に対して若干傾けて設置させてもよい。
このように、第一の発光部３４ａからの光Ｌ２を標示体２の誘導標示２１へ直接的に照射させるように設けた場合、前記光Ｌ２は歩行者などの観者から直接的には視認されにくくなされるが、発光装置３が第一の発光部３４ａとは異なる第二の発光部３３ａを備えているので、ここから放射される光Ｌ１を視認することによって観者が設置された発光誘導標示装置１の存在に気付きやすくなされる。
【００２９】
また、図１に示すように、本実施形態の発光誘導標示装置１は、標示体２に形成された誘導標示２１の示す誘導方向において、誘導方向の先側に標示体２を配置させ、誘導方向の手前側に発光装置３を設置させている。そして、前記誘導方向へ向けて発光装置３の第一の発光部３４ａからの光Ｌ２を放射させて標示体２を照明させ、誘導方向の手前側へ向けて発光装置３の第二の発光部３３ａからの光Ｌ１を放射させるように設けている。
このように設けることで、発光誘導標示装置１の示す誘導方向の手前側にいる観者からは、前記第二の発光部３３ａの光Ｌ１が直接的に視認できるようになされて発光誘導標示装置１の存在に気付きやすくなされるので、設置された発光誘導標示装置１の傍へ近寄るように誘導する効果が期待でき、誘導標示２１の内容を目視させる可能性を高めている。
【００３０】
また、本実施形態の発光誘導標示装置１は、観者を誘導するための光Ｌ１を放射させる第二の発光部３３ａとは異なる第一の発光部３４ａを発光装置３に設け、この第一の発光部３４ａからの光Ｌ２によって標示体２の誘導標示２１を照明するように設けている。このため、前記第一の発光部３４ａから光を放射させる前記後部発光体５２の光の色や光軸の向きなどを、前記第二の発光部３３ａから光を発する前部発光体５１と異ならせて設けることが容易であり、より誘導標示２１の照明に適した構成に前記後部発光体５２を設けることができるので、誘導標示２１の視認性が高められる。
本実施形態の発光誘導標示装置１は、前部発光体５１を誘導標示２１の蛍光色を効果的に励起できる白色の発光ダイオードで設け、後部発光体５２を緑色の発光ダイオードで設けている。
【符号の説明】
【００３１】
１    発光誘導標示装置
２    標示体
２１  誘導標示
３    発光装置
３１  本体
３２  上面
３３  前面
３３ａ  第二の発光部
３４  後面
３４ａ  第一の発光部
３５  側面
４    透光ケース
４２  天板
４３  傾斜壁
４４  傾斜壁
５１  前部発光体
５２  後部発光体
５３  基板
５４  蓄電池
５５  太陽電池
６    底板
【図１】
2014031663.tif 000003
【図２】
2014031663.tif 000004
【図３】
2014031663.tif 000005
【図４】
2014031663.tif 000006
【図５】
2014031663.tif 000007
【図６】
2014031663.tif 000008
【図７】
2014031663.tif 000009